(57)【要約】【課題】棚板上に機器類を設置した場合にも、美観や作業性を損なうのを防ぐ。【解決手段】作業台１０Ａは、作業平面を形成する天板部１２及び天板部１２を支持する支持脚１１を有する下部構造体と、天板部１２の後端部１２ｂ側の上方に配置された棚板１７および下部構造体から上方に延び、棚板１７を支持する棚板支持部材１４を有する上部構造体と、を備え、天板部１２は、板状の天板本体１９と、天板本体１９の後方に開口部２３を有し、天板部１２の下方に配線を収容可能な配線収容部２０と、天板本体１９の後方であって、開口部２３の前方または後方に設けられた電源コンセント接続部３０と、を備えている。【選択図】図３
2015047571.tif 000002
【特許請求の範囲】
【請求項１】
作業平面を形成する天板部及び前記天板部を支持する支持脚を有する下部構造体と、
前記天板部の上方に配置された棚板及び前記下部構造体から上方に延び、前記棚板を支持する棚板支持部材を有する上部構造体と、を備えた作業台であって、
前記天板部は、
板状の天板本体と、
前記天板本体の後方に開口部を有し、該開口部の下方に配線を収容可能な配線収容部と、
前記天板本体の後方であって、前記開口部の前方または後方に設けられた電源コンセント接続部と、
を備えていることを特徴とする作業台。
【請求項２】
前記開口部は、前記天板部の前後方向に直交する幅方向に連続して形成されていることを特徴とする請求項１に記載の作業台。
【請求項３】
前記電源コンセント接続部は、前記開口部よりも前方に配置されていることを特徴とする請求項１または２に記載の作業台。
【請求項４】
前記棚板の後端部が、前記天板部の後端部よりも前方に位置し、前記棚板の後方に、該棚板上に載置した機器の配線を前記開口部に向けて垂下させる配線挿通空間が形成されていることを特徴とする請求項１から３のいずれか一項に記載の作業台。
【請求項５】
前記配線収容部は、前記開口部を開閉可能な蓋体を備えていることを特徴とする請求項１から４のいずれか一項に記載の作業台。
【請求項６】
前記蓋体は、前記幅方向に延びる回転軸周りに回動可能に設けられた蓋体本体と、前記蓋体本体において前記回転軸とは反対側の先端部に沿って設けられた弾性変形可能なリップ部材と、を備えていることを特徴とする請求項５に記載の作業台。
【請求項７】
前記蓋体の上面は、前記天板本体の上面と面一に設けられていることを特徴とする請求項５または６に記載の作業台。
【請求項８】
前記電源コンセント接続部は、箱状をなしたボックス部材と、前記ボックス部材の表面に設けられたコンセント接続口と、前記ボックス部材を前記配線収容部に対して着脱自在に固定する固定部材と、を備えていることを特徴とする請求項１から７のいずれか一項に記載の作業台。
【請求項９】
前記電源コンセント接続部の上面は、前記天板本体の上面と面一に設けられていることを特徴とする請求項１から８のいずれか一項に記載の作業台。
【請求項１０】
前記天板部が、２枚の前記天板本体を、それぞれの前記天板本体の前記後端部どうしを対向させ、
一方の前記天板本体の前記後端部と他方の前記天板本体の前記後端部との間に、前記配線収容部と、前記電源コンセント接続部とが設けられていることを特徴とする請求項１から９のいずか一項に記載の作業台。
【請求項１１】
一方の前記天板本体の前記後端部と他方の前記天板本体の前記後端部との間に、一つの前記配線収容部が設けられ、
それぞれの前記天板本体の前記後端部と前記配線収容部との間に、それぞれ前記電源コンセント接続部が設けられていることを特徴とする請求項１０に記載の作業台。
【発明の詳細な説明】
【技術分野】
【０００１】
本発明は、各種の実験機器や計測機器等を載置して作業を行うための作業台に関する。
【背景技術】
【０００２】
従来より、オフィス用のデスク等の什器においては、デスク上で使用するパーソナルコンピュータ等の電子機器を商用電源やネットワークに接続するための配線類を、什器に形成された配線スペース内に通すことが行われている。これにより、配線類が露出して外観が損なわれるのを抑えている。
【０００３】
特許文献１には、このような配線スペースとして、什器の天板の一部に配線を収容する凹部を形成するとともに、凹部の上方を開閉可能なカバーによって覆った構成が開示されている。
【先行技術文献】
【特許文献】
【０００４】
【特許文献１】特許第５０６３９８７号公報
【発明の概要】
【発明が解決しようとする課題】
【０００５】
ところで、各種の実験や作業を行う作業台においては、天板の上方に設置した棚板上に、実験機器や各種の機器類を設置することがある。このような場合、棚板上の機器類の電源用、データ通信用等の配線が、下方に設けられた配線スペースに向かって棚板から下方に垂れさがってしまう。棚板上に複数の機器類を設置した場合、天板と棚板との間に、多数の配線が乱雑な状態で垂れ下がり、美観を大きく損なうことがある。
さらに、例えば、天板上で利用するパーソナルコンピュータ等の機器の配線も配線スペースに通そうとしようとすると、上方の棚板から垂れ下がった複数の配線が邪魔になり、作業性が損なわれるという問題もある。
そこでなされた本発明の目的は、棚板上に機器類を設置した場合にも、美観や作業性を損なうのを防ぐことのできる作業台を提供することである。
【課題を解決するための手段】
【０００６】
本発明は、上記課題を解決するため、以下の手段を採用する。
すなわち、本発明は、作業平面を形成する天板部及び前記天板部を支持する支持脚を有する下部構造体と、前記天板部の上方に配置された棚板及び前記下部構造体から上方に延び、前記棚板を支持する棚板支持部材を有する上部構造体と、を備えた作業台であって、前記天板部は、板状の天板本体と、前記天板本体の後方に開口部を有し、該開口部の下方に配線を収容可能な配線収容部と、前記天板本体の後方であって、前記開口部の前方または後方に設けられた電源コンセント接続部と、を備えていることを特徴とする。
【０００７】
このような構成により、上方の棚板上に載置された機器類から垂れ下がる配線を、開口部を通して配線収容部内に収容するとともに、天板部の上面に載置して用いる機器類等の配線等を、電源コンセント接続部に接続することができる。そして、配線収容部の開口部と電源コンセント接続部とが互いに前後して設けられているため、棚板上から垂れ下がる配線と、天板部上で用いる機器類の配線とを容易に区別して配線できる。
【０００８】
前記開口部は、前記天板部の前後方向に直交する幅方向に連続して形成されているようにしてもよい。
【０００９】
配線収容部の開口部が天板部の幅方向に連続することで、天板部の幅方向の任意の位置から配線を電源収容部内に収容することができる。
【００１０】
前記電源コンセント接続部は、前記開口部よりも前方に配置されているようにしてもよい。
【００１１】
このような構成により、上方から垂れ下がり、開口部を通して配線収容部内に収容される配線が電源コンセント接続部よりも後方に位置することとなる。すると、天板上で用いる機器類の電源配線等が、上方から垂れ下がる配線と錯綜するのを防ぐことができる。
【００１２】
前記棚板の後端部が、前記天板部の後端部よりも前方に位置し、前記棚板の後方に、該棚板上に載置した機器の配線を前記開口部に向けて垂下させる配線挿通空間が形成されているようにしてもよい。
【００１３】
このような構成により、棚板上に載置した機器の配線を、配線挿通空間を通して垂下させ、開口部から配線収容部内に収容できる。
【００１４】
前記配線収容部は、前記開口部を開閉可能な蓋体を備えているようにしてもよい。
【００１５】
このような構成により、配線収容部内の配線が露出するのを最小限に抑え、美観を向上させることができる。
【００１６】
前記蓋体は、前記幅方向に延びる回転軸周りに回動可能に設けられた蓋体本体と、前記蓋体本体において前記回転軸とは反対側の先端部に沿って設けられた弾性変形可能なリップ部材と、を備えているようにしてもよい。
【００１７】
このような構成により、開口部に配線を通した状態で蓋体本体を閉じると、配線がリップ部材と干渉することによってリップ部材が弾性変形する。したがって、蓋体本体を閉じたままであっても、配線を開口部に通すことができる。
【００１８】
前記蓋体の上面は、前記天板本体の上面と面一に設けられているようにしてもよい。
【００１９】
このような構成により、蓋体上も天板本体の上面に連続する作業面として利用することができる。
【００２０】
前記電源コンセント接続部は、箱状をなしたボックス部材と、前記ボックス部材の表面に設けられたコンセント接続口と、前記ボックス部材を前記配線収容部に対して着脱自在に固定する固定部材と、を備えているようにしてもよい。
【００２１】
このような構成により、電源コンセント接続部は、ボックス部材にコンセント接続口が設けられてユニット化される。これにより、作業台組立時に、電源コンセント接続部の取付が容易となる。また、ボックス部材に設けるコンセント接続口の数や種類を変更する場合にはユニットごと交換すればよいため、作業性を良好とすることができる。
【００２２】
前記電源コンセント接続部の上面は、前記天板本体の上面と面一に設けられているようにしてもよい。
【００２３】
このような構成により、前記電源コンセント接続部の上面も、天板本体の上面に連続する作業面として利用することができる。
【００２４】
前記天板部が、２枚の前記天板本体を、それぞれの前記天板本体の前記後端部どうしを対向させ、一方の前記天板本体の前記後端部と他方の前記天板本体の前記後端部との間に、前記配線収容部と、前記電源コンセント接続部とが設けられているようにしてもよい。
【００２５】
このような構成により、天板本体どうしを向かい合わせに備えた作業台においても、それぞれの天板本体の後方に、配線収容部と電源コンセント接続部とを備えることとなる。
【００２６】
一方の前記天板本体の前記後端部と他方の前記天板本体の前記後端部との間に、一つの前記配線収容部が設けられ、それぞれの前記天板本体の前記後端部と前記配線収容部との間に、それぞれ前記電源コンセント接続部が設けられているようにしてもよい。
【００２７】
このような構成により、互い向かい合わせとなったそれぞれの天板本体で、配線収容部については双方の側で共用し、電源コンセント接続部については、それぞれの側の天板本体側に設けることができる。
【発明の効果】
【００２８】
本発明によれば、棚板上に機器類を設置した場合にも、美観や作業性を損なうのを防ぐことが可能となる。
【図面の簡単な説明】
【００２９】
【図１】第１の実施形態に係る作業台の斜視図である。
【図２】作業台の上部を背面側から見た斜視図である。
【図３】作業台の天板部の側断面図である。
【図４】配線収容部の、天板部の幅方向における断面図である。
【図５】（ａ）は配線収容部および電源コンセント接続部の側断面図、（ｂ）は電源コンセント接続部の固定部材に設けられたロック部の係合の様子を示す平面図である。
【図６】蓋体の下面図である。
【図７】電源コンセント接続部の構成を示す図であって、（ａ）は縦断面図、（ｂ）は平面図、（ｃ）は（ｂ）のＸ−Ｘ矢視断面図である。
【図８】第２の実施形態に係る作業台の斜視図である。
【発明を実施するための形態】
【００３０】
以下、添付図面を参照して、本発明による作業台を実施するための形態を説明する。しかし、本発明はこれらの実施形態のみに限定されるものではない。
【００３１】
（第１の実施形態）
図１は、第１の実施形態に係る作業台の斜視図である。図２は、作業台の上部を背面側から見た斜視図である。図３は、作業台の天板部の側断面図である。図４は、配線収容部の、天板部の幅方向における断面図である。図５は、（ａ）は配線収容部および電源コンセント接続部の側断面図、（ｂ）は電源コンセント接続部の固定部材に設けられたロック部の係合の様子を示す平面図である。図６は、蓋体の下面図である。図７は、電源コンセント接続部の構成を示す図であって、（ａ）は縦断面図、（ｂ）は平面図、（ｃ）は（ｂ）のＸ−Ｘ矢視断面図である。
なお、以下の説明において、上方、下方、前方、後方といった方向は、作業台１０Ａを床面上に設置して使用するときの状態に対応した方向としている。すなわち、作業台１０Ａが設置される床面側を「下方」、その反対方向を「上方」、この作業台１０Ａを使用するユーザが作業台１０Ａに対向する側を「前方」、その反対側を「後方」または「背面側」と称する。さらに、作業台１０Ａにおいて、床面に平行で、前後方向に直交する方向を「幅方向」と称することがある。
【００３２】
図１に示すように、作業台１０Ａは、作業台１０Ａが設置される床面上に立ち上がる支持脚１１、１１と、これら支持脚１１、１１によって、床面の上方の所定高さに支持され、その上面により作業平面Ｓを形成する天板部１２と、を備える。これら支持脚１１，１１と天板部１２とから、下部構造体Ｘが構成されている。
【００３３】
ここで、本実施形態においては、支持脚１１として、天板部１２の幅方向両端部に一対の支持脚１１，１１が設けられるのに加え、天板部１２の幅方向中間部に補助支持脚（支持脚）１１ｈが設けられている。天板部１２の前後方向において、補助支持脚１１ｈの長さは、支持脚１１の長さよりも短く、補助支持脚１１ｈの前端部１１ｆが天板部１２の前端部１２ｆよりも後方に位置している。これにより、天板部１２の幅方向中間部においては、天板部１２の荷重を支持しつつ、作業台１０Ａの利用者の脚等と干渉しないようになっている。
ここで、支持脚１１としては、様々な形状の支持脚や、引き出しを備えた袖箱等を採用できる。また、補助支持脚１１ｈを備えず、支持脚１１を二つのみ設けてもよいし、支持脚１１を三つ以上備えていても良い。
【００３４】
また、互いに隣接する支持脚１１の後端部１１ａと補助支持脚１１ｈの後端部１１ｂとの間に、床面に直交し、天板部１２の下方の空間の少なくとも一部を塞ぐ幕板１３が設けられている。この幕板１３は、天板部１２の下方の空間を、床面近傍まで覆うように設けても良いし、互いに隣接する支持脚１１と補助支持脚１１ｈとの間に掛け渡されたバー（棒）状のものとすることもできる。
【００３５】
下部構造体Ｘを構成する天板部１２の後端部１２ｂの上面には、天板部１２の幅方向に間隔を隔てて、複数枚の棚板保持板（棚板支持部材）１４が設けられている。本実施形態においては、棚板保持板１４は、両側の支持脚１１，１１と補助支持脚１１ｈのそれぞれの鉛直上方に、合計３枚が設けられている。この棚板保持板１４は、前後方向に長く、天板部１２から鉛直上方に延びるよう設けられている。
各棚板保持板１４において、前方を向く前面１４ｆと幅方向を向く側面１４ｓには、それぞれ、上下方向に間隔を隔てて複数の棚板係止孔１５、１６が形成されている。
【００３６】
このような棚板保持板１４により、天板部１２の後端部１２ｂの上方に棚板１７が設置できるようになっている。これら棚板保持板１４および棚板１７により、上部構造体Ｙが構成されている。
本実施形態では、上下２枚の棚板１７が設置されているが、その設置枚数は限定するものではなく、１枚のみでもよいし、３枚以上でもよい。
棚板１７は、板状の棚板本体１７ｐと、棚板本体１７ｐの幅方向両側の下面に設けられた補強ブラケット１７ｒと、を備えている。
棚板本体１７ｐの幅方向両側には、棚板保持板１４の側面１４ｓに形成された棚板係止孔１５に係止可能な係止フック（不図示）が設けられている。また、補強ブラケット１７ｒは、棚板本体１７ｐの下面において、前方から後方に向かうにしたがいその高さが漸次大きくなるように形成されている。そして、補強ブラケット１７ｒにおいて、後方を向き、棚板１７に直交する支持面１７ｓには、棚板保持板１４の前面１４ｆに形成された棚板係止孔１５に係止可能な係止フック（不図示）が設けられている。
このような棚板１７は、その幅方向両端部において、棚板保持板１４の前面１４ｆの棚板係止孔１５と、側面１４ｓの棚板係止孔１６に、棚板本体１７ｐと補強ブラケット１７ｒのそれぞれの係止フックを係止させることで、両側の棚板保持板１４、１４間に保持されている。
【００３７】
ここで、各棚板１７は、その後端部１７ｂが、棚板保持板１４の後端部１４ｂよりも前方に位置するよう設置される。これにより、棚板１７の後方に、棚板１７上に載置した機器類の配線を垂下させる配線挿通空間Ｓｈが形成されている。
【００３８】
また、互いに隣接する棚板保持板１４，１４には、棚板１７以外にも、例えばモニタディスプレイ等の物品を係止できるブラケット１８を取り付けることもできる。ブラケット１８は、その両端部に設けられた取付孔（不図示）を介して、棚板保持板１４の側面１４ｓに取付ネジ（不図示）によって螺着されている。
ブラケット１８と同様の取付構造により、パネル状あるいはバー状の物品を適宜取り付けることもできる。
【００３９】
図１〜図３に示すように、天板部１２は、支持脚１１，１１間に架け渡された平面視矩形の天板本体１９と、天板本体１９の後端部１９ｂの後方に設けられた配線収容部２０と、電源コンセント接続部３０と、を備えている。すなわち、天板本体１９は、後端部１９ｂが、天板部１２の後端部１２ｂよりも前方に位置するよう設けられている。
【００４０】
図３、図４に示すように、配線収容部２０は、互いに隣接する支持脚１１と補助支持脚１１ｈとの間に、前後方向に間隔を隔てて配置された一対の連結板２１Ａ，２１Ｂと、連結板２１Ａ，２１Ｂの下端部２１ｄ，２１ｄ間に架け渡された底板２２と、を備えている。
【００４１】
一方の連結板２１Ａは、支持脚１１の後端部１１ａと補助支持脚１１ｈの後端部１１ｂとの間に配置されている。また、他方の連結板２１Ｂは、天板本体１９の後端部１９ｂの鉛直下方位置に設けられている。そして連結板２１Ａ，２１Ｂは、それぞれ上下方向に一定長を有して鉛直面内に位置するよう設けられ、不図示のブラケット，ネジ等を介して支持脚１１と補助支持脚１１ｈとに接続されている。
【００４２】
このようにして、天板本体１９の後方には、連結板２１Ａ，２１Ｂと底板２２とによって略Ｕ字状に囲まれて、天板本体１９の後端部１９ｂに沿って天板部１２の幅方向に連続し、配線を収容可能な配線収容部２０が形成されている。この配線収容部２０は、上方に向けて開口した開口部２３を有している。
ここで、後に詳述する電源コンセント接続部３０は、配線収容部２０の前側の一部の上方に配置されており、天板本体１９の後端部１９ｂの後方に隣接して配置されている。これにより、電源コンセント接続部３０は、開口部２３よりも前方側に配置されている。
【００４３】
図５に示すように、配線収容部２０は、開口部２３を開閉可能な蓋体２５を備えている。
この蓋体２５は、蓋体本体２６と、リップ部材２７と、を備えている。
図６に示すように、蓋体本体２６は、一方向に長い帯板状で、一方の長辺２６ｎの長さ方向両端部に、それぞれ、後述する支持軸２９ｃが回転自在に係合する軸係合部２６ａが形成されている。
リップ部材２７は、蓋体本体２６において軸係合部２６ａとは反対側の長辺２６ｍに嵌め込まれている。このリップ部材２７は、ゴム系材料、シリコン系材料、あるいは樹脂材料等からなるブラシ状の、弾性変形可能な材料で形成されている。
【００４４】
図４に示すように、連結板２１Ａ，２１Ｂ間には、配線収容部２０が連続する天板部１２の幅方向に沿って間隔を隔てて複数本の支持部材２８が設けられている。この支持部材２８上に、蓋体本体２６を開閉可能に支持する支持ブラケット２９が設けられている。このような支持ブラケット２９は、蓋体本体２６の長さ方向両端部にそれぞれ配置されている。したがって、この支持ブラケット２９を支持する支持部材２８も、蓋体本体２６の長さ方向両端部にそれぞれ配置されている。
図５に示すように、各支持ブラケット２９は、支持部材２８上に固定されるベース部２９ａと、ベース部２９ａから上方に立ち上がる支柱２９ｂと、支柱２９ｂの上端部に設けられ、天板部１２の幅方向に沿って延在するよう形成された支持軸２９ｃと、支柱２９ｂの上端部において支持軸２９ｃに隣接して設けられたストッパ部材２９ｄ、とを備えている。
支持軸２９ｃは、蓋体本体２６の軸係合部２６ａに回転自在に係合される。これによって、蓋体本体２６は、天板部１２の幅方向に延びる支持軸２９ｃ周りに回動可能に設けられている。そして、蓋体本体２６を閉じる方向に回転させたときには、蓋体本体２６の下面がストッパ部材２９ｄに突き当たるようになっている。ストッパ部材２９ｄに蓋体本体２６が突き当たった状態、つまり、蓋体２５が閉じた状態では、蓋体２５の上面２５ａは、天板本体１９の上面１９ｆと略面一となる。
【００４５】
本実施形態において、上記したような蓋体２５は、天板部１２の前後方向に２枚が向かい合わせに設けられている。これにともない、支持部材２８には、支持軸２９ｃとストッパ部材２９ｄとが、天板部１２の前後方向に沿って二組ずつ設けられている。
これにより、前方に位置する蓋体２５Ｆは、蓋体２５Ｆの後端側に位置する支持軸２９ｃを中心として、前端側が回動して開閉する。後方に位置する蓋体２５Ｒは、蓋体２５Ｒの前端側に位置する支持軸２９ｃを中心として後端側が回動して開閉する。
さらに、本実施形態において、互いに隣接する支持脚１１と補助支持脚１１ｈとの間には、天板部１２の幅方向にも二組の蓋体２５が配置されている。したがって、支持ブラケット２９は、互いに隣接する支持脚１１と補助支持脚１１ｈとの間に、計４つ設けられている。ここで、支持脚１１と補助支持脚１１ｈの中間部において、互いに隣接する二つの支持ブラケット２９は、一本の支持部材２８上に設けられている。
【００４６】
図７に示すように、電源コンセント接続部３０は、箱状をなしたボックス部材３１と、ボックス部材３１の表面に設けられたコンセント接続口３２と、ボックス部材３１を配線収容部２０に対して着脱自在に固定する固定部材３３と、を備えている。
【００４７】
ボックス部材３１は、一方向に長い中空の略直方体状で、その内部に、コンセント接続部材３４や、アース部材３５、ブレーカボックス３６等が収容できるようになっている。ボックス部材３１には、不図示の貫通孔が所定数形成されて、これら貫通孔にコンセント接続部材３４、アース部材３５、ブレーカボックス３６等が嵌め込まれ、コンセント接続口３２、アース端子３５ｓ、ブレーカスイッチ３６ｓを外方に向けて露出させている。
ボックス部材３１の表面には、このボックス部材３１を開口部２３に装着したときに、上方を向くフェイスプレート３７が形成されている。このフェイスプレート３７に、コンセント接続口３２とアース端子３５ｓとが配置されている。ブレーカボックス３６のスイッチ３６ｓは、ボックス部材３１において、フェイスプレート３７が形成された表面以外の他の側面に配置されている。
【００４８】
フェイスプレート３７は、ボックス部材３１から外周側にオーバーハングしており、そのオーバーした部分に、それぞれ固定部材３３が設けられている。
【００４９】
図７（ｃ）に示すように、固定部材３３は、軸部３３ａと、軸部３３ａの一端側に設けられて軸部３３ａよりも大きな外径を有した頭部３３ｂと、軸部３３ａの他端側に設けられた、軸部３３ａの中心軸に直交する断面の形状が長円形のロック部３３ｃと、軸部３３ａの中間部に形成された円盤状のストッパプレート３３ｄと、ストッパプレート３３ｄから頭部３３ｂ側に向けて延び、ストッパプレート３３ｄから外周側に漸次広がる複数の係止爪３３ｅと、が一体に形成されている。
この固定部材３３は、フェイスプレート３７に形成された、頭部３３ｂよりも小径とされ、ストッパプレート３３ｄよりも大径とされた貫通孔３７ｈに軸部３３ａが挿入され、複数の係止爪３３ｅの先端が貫通孔３７ｈの外周側に係合されている。これにより、貫通孔３７ｈの外周側で、係止爪３３ｅと頭部３３ｂとにフェイスプレート３７が挟み込まれることで、固定部材３３がフェイスプレート３７に保持されている。
【００５０】
図５に示すように、支持部材２８上には、支持ブラケット２９に対して天板部１２の前方側に、上記電源コンセント接続部３０を保持するための支持ブラケット３８が設けられている。
この支持ブラケット３８は、支持部材２８上に固定されるベース部３８ａと、ベース部３８ａから上方に立ち上がる支柱３８ｂと、支柱３８ｂの上端部に設けられた保持部３８ｃ、とを備えている。保持部３８ｃには、上方に開口した保持孔３８ｄと、保持孔３８ｄの底面に形成されたロック孔３８ｅと、が一体に形成されている。保持孔３８ｄは、固定部材３３のストッパプレート３３ｄよりも大きな内径を有している。また、ロック孔３８ｅは、平面視すると、ロック部３３ｃよりも外形寸法がわずかに大きな長円形をなしている。
【００５１】
このような支持ブラケット３８の保持部３８ｃに、上記固定部材３３が着脱自在に係合されるようになっている。
固定部材３３を保持部３８ｃに係合させるときには、保持孔３８ｄに対し、電源コンセント接続部３０のフェイスプレート３７に設けられた固定部材３３の先端部を挿入する。このとき、図５（ｂ）に示すように、断面長円形のロック部３３ｃは、その長径方向をロック孔３８ｅの長径方向に合わせることで、ロック部３３ｃがロック孔３８ｅを貫通する。そして、頭部３３ｂをフェイスプレート３７に突き当てる。この状態で、固定部材３３の頭部３３ｂを軸部３３ａの中心軸周りに回転させると、ロック部３３ｃが回転してその長径方向がロック孔３８ｅの長径方向に対して周方向に変位する。これにより、固定部材３３が支持ブラケット３８に係合され、電源コンセント接続部３０が保持される。
【００５２】
このようにして、電源コンセント接続部３０は、配線収容部２０の上方に装着された状態で、電源コンセント接続部３０の上面、つまりフェイスプレート３７の上面３７ｆは、天板本体１９の上面１９ｆと略面一となるよう設けられている。
【００５３】
上記したような作業台１０Ａにおいては、棚板１７上に機器類を載置できる。そして、棚板１７上の機器類の配線１００は、棚板１７の後方に形成された配線挿通空間Ｓｈを通して下方の開口部２３に向けて垂下させる。図３に示すように、垂下した配線１００は、蓋体２５を開いた状態で、開口部２３から下方の配線収容部２０内に導入し、この配線収容部２０を通して、不図示のコンセントや各種配線の接続ターミナル等に接続される。そして、配線１００の接続後は、蓋体２５を閉じ、開口部２３を塞いでおく。蓋体２５を塞いだ状態では、配線１００は、弾性変形可能なリップ部材２７の部分を通って、配線収容部２０の内外を貫通する。
また、天板部１２上に載置して使用する機器等の配線１０１は、電源コンセント接続部３０のフェイスプレート３７に設けられたコンセント接続口３２、アース端子３５ｓに接続する。もちろん、例えば、天板部１２上に恒久的に載置して用いる機器類であれば、棚板１７上の機器類と同様に、蓋体２５を開いて配線収容部２０に配線１０１を通してもよい。
【００５４】
上述したように、作業台１０Ａは、天板部１２の天板本体１９の後方に、開口部２３を有した配線収容部２０と、電源コンセント接続部３０と、を備えるようにした。
これにより、天板部１２の上方の棚板１７上に載置された機器類から垂れ下がる配線１００を、開口部２３を通して配線収容部２０内に収容するとともに、天板部１２の上面に載置して用いる機器類等の配線１０１は、電源コンセント接続部３０に接続することができる。
これにより、棚板１７上の機器類から垂れ下がる配線１００は、乱雑に垂れ下がるのではなく、例えばスダレのようにほぼ鉛直に垂下させることで、見た目を整然とさせることができ、美観を向上できる。
棚板１７上に載置する機器類の配線１００と、天板部１２上で用いる機器類の配線１０１とで接続先が異なるので、配線１００、配線１０１の接続作業を容易かつ円滑に行うことができる。
このようにして、棚板１７上に機器類を設置した場合にも、美観や作業性を損なうのを防ぐことが可能となる。
【００５５】
さらに、配線収容部２０の開口部２３が天板部１２の幅方向に連続することで、天板部１２の幅方向の任意の位置から配線１００を配線収容部２０内に収容することができる。
【００５６】
しかも、開口部２３は、電源コンセント接続部３０よりも天板本体１９に対して後方側に配置されている。これにより、上方の棚板１７から垂れ下がり、開口部２３を通して配線収容部２０内に収容される配線１００が電源コンセント接続部３０よりも後方に位置することとなる。すると、天板部１２上で用いる機器類の配線１０１が、上方から垂れ下がる配線と錯綜するのを防ぐことができる。また、作業台１０Ａの前側から、配線１０１を電源コンセント接続部３０に接続する際には、棚板１７から垂れ下がっている配線１００が邪魔にならない。
【００５７】
また、棚板１７の後端部１７ｂが、天板部１２の後端部１２ｂよりも前方に配置されて、棚板１７の後方に配線挿通空間Ｓｈが形成されている。これにより、棚板１７上に載置した機器の配線１００を、配線挿通空間Ｓｈを通して垂下させ、開口部２３から配線収容部２０内に収容できる。
【００５８】
さらに、配線収容部２０は、開口部２３を開閉可能な蓋体２５を備えているので、配線収容部２０内の配線１００が露出するのを最小限に抑え、美観を向上させることができる。
【００５９】
また、蓋体２５は、前後方向に２枚が向かい合わせに設けられ、前方に位置する蓋体２５Ｆは、蓋体２５Ｆの後端側に位置する支持軸２９ｃを中心として、前端側が回動して開閉する。したがって、作業台１０Ａの前側から、配線１０１を配線収容部２０に収容する場合に、蓋体２５Ｆを容易に開閉してスムーズに配線作業を行うことができる。
一方、作業台１０の背面側で、棚板１７から垂れ下がる配線１００を配線収容部２０に収容する場合には、背面側から蓋体２５Ｒを容易に開閉してスムーズに配線作業を行うことができる。
【００６０】
加えて、蓋体２５は、蓋体本体２６の先端部にリップ部材２７を備えている。これにより、開口部２３に配線１００を通した状態で蓋体本体２６を閉じると、配線１００と干渉することによってリップ部材２７が弾性変形する。このようにして、蓋体本体２６を閉じたままであっても、配線１００を開口部２３に通すことができる。
【００６１】
蓋体２５および電源コンセント接続部３０の上面２５ａ、３７ｆは、天板本体１９の上面１９ｆと面一に設けられている。これにより、蓋体２５および電源コンセント接続部３０上も、天板本体１９の上面に連続する作業平面Ｓとして有効に利用することができる。
【００６２】
電源コンセント接続部３０は、箱状をなしたボックス部材３１にコンセント接続口３２が設けられてユニット化されている。これにより、作業台１０Ａの組立時に、電源コンセント接続部３０の取付が容易となる。また、ボックス部材３１に設けるコンセント接続口３２の数や種類を変更する場合にも、ユニットごと交換すればよいため、作業性を良好とすることができる。
【００６３】
（第２の実施形態）
次に、本発明にかかる作業台の第２の実施形態について説明する。なお、以下に説明する第２の実施形態においては、上記第１の実施形態と共通する構成については図中に同符号を付してその説明を省略する。
図８は、第２の実施形態に係る作業台の斜視図である。
図８に示すように、本実施形態における作業台１０Ｂは、天板部１２Ｂが、２枚の天板本体１９Ａ，１９Ｂを、それぞれの天板本体１９の後端部１９ｂどうしを対向させている。そして、一方の天板本体１９Ａの後端部１９ｂと他方の天板本体１９Ｂの後端部１９ｂとの間に、配線収容部２０と、電源コンセント接続部３０とが設けられている。
より詳しくは、一方の天板本体１９Ａの後端部１９ｂと他方の天板本体１９Ｂの後端部１９ｂとの間に、一つの配線収容部２０が設けられ、それぞれの天板本体１９Ａ，１９Ｂの後端部１９ｂ、１９ｂと配線収容部２０との間に、それぞれ電源コンセント接続部３０，３０が設けられている。
【００６４】
このような作業台１０Ｂにおいては、棚板保持板１４は、一方の天板本体１９Ａの上方に設ける棚板１７Ａと、他方の天板本体１９Ｂの上方に設ける棚板１７Ｂとで、共用できるよう、一方の天板本体１９Ａと他方の天板本体１９Ｂとに跨るように設けられている。
そして、一方の天板本体１９Ａ側の棚板１７Ａの後端部１７ｂと、他方の天板本体１９Ｂ側の棚板１７Ｂの後端部１７ｂとは、前後方向に間隔をあけて配置され、これによって、一方の棚板１７Ａと他方の棚板１７Ｂとの間に、配線挿通空間Ｓｈが形成される。
【００６５】
このような構成においても、天板部１２の天板本体１９Ａ，１９Ｂのそれぞれの後方に、開口部２３を有した配線収容部２０と、電源コンセント接続部３０と、を備えることになる。したがって、上記第１の実施形態と同様、棚板１７Ａ，１７Ｂ上の機器類から垂れ下がる配線１００は、乱雑に垂れ下がるのではなく、例えばスダレのようにほぼ鉛直に垂下させることで、見た目を整然とさせることができ、美観を向上できる。
棚板１７Ａ，１７Ｂ上に載置する機器類と、天板部１２上で用いる機器類とで、配線１００，１０１の接続先が異なるので、配線１００，１０１の接続作業を容易かつ円滑に行うことができる。
このようにして、棚板１７上に機器類を設置した場合にも、美観や作業性を損なうのを防ぐことが可能となる。
【００６６】
（その他の実施形態）
なお、本発明は、図面を参照して説明した上述の各実施形態に限定されるものではなく、その技術的範囲において様々な変形例が考えられる。
例えば、電源コンセント接続部３０については、アース部材３５やブレーカボックス３６を備えるようにしたが、少なくともコンセント接続口３２が備わっていれば良く、コンセント接続口３２以外に備える構成については、例えばネットワーク接続用の信号ケーブル等、上記した以外のものであってもよい。
【００６７】
また、開口部２３を、天板部１２の幅方向に連続して設けるようにしたが、天板部１２の幅方向に沿って間隔を隔てて複数の開口部２３を設けるようにしてもよい。その場合、それぞれの開口部２３に上記のような蓋体２５を備えてもよい。
さらに、蓋体２５は、開口部２３を開閉可能に塞ぐことができるのであれば、開閉式ではなく例えば着脱式とする等、いかなる構成のものであってもよい。
【００６８】
また、電源コンセント接続部３０を、開口部２３よりも前方に備えるようにしたが、これに限るものではなく、開口部２３よりも後方に設けてもよい。
さらに、配線収容部２０や電源コンセント接続部３０、蓋体２５の具体的な構成については何ら限るものではなく、上記に例示した以外の適宜構成に変更しても何らの支障は生じない。
【００６９】
加えて、電源コンセント接続部３０のフェイスプレート３７の上面３７ｆを、天板本体１９の上面１９ｆと面一となるようにしたが、これに限るものではなく、例えばフェイスプレート３７を天板本体１９の上面１９ｆから上方に突出させて、作業台１０の利用者側に傾斜させて設けてもよい。
【００７０】
また、配線収容部２０は、棚板１７上に載置した機器類の配線１００を収容しているが、これに限られるものではなく、棚板保持板１４に取り付けられたブラケット１８に係止されたモニタディスプレイ等の機器の配線を収容することもできる。
【００７１】
また、配線収容部２０は、開口部２３の下方から電源コンセント接続部３０の下方にまでわたって配置されているが、これに限るものではない。少なくとも開口部２３の下方に配置されていればよい。
これ以外にも、本発明の主旨を逸脱しない限り、上記実施の形態で挙げた構成を取捨選択したり、他の構成に適宜変更したりすることが可能である。
【符号の説明】
【００７２】
１０Ａ、１０Ｂ  作業台
１１  支持脚
１１ｈ  補助支持脚（支持脚）
１２，１２Ａ，１２Ｂ  天板部
１２ｂ  後端部
１４  棚板保持板（棚板支持部材）
１７，１７Ａ，１７Ｂ  棚板
１７ｂ  後端部
１９，１９Ａ，１９Ｂ  天板本体
１９ｂ  後端部
２０  配線収容部
２３  開口部
２５  蓋体
２５ａ  上面
２６  蓋体本体
２７  リップ部材
２８  支持部材
２９  支持ブラケット
２９ｃ  支持軸
２９ｄ  ストッパ部材
３０  電源コンセント接続部
３１  ボックス部材
３２  コンセント接続口
３３  固定部材
３４  コンセント接続部材
３５  アース部材
３５ｓ  アース端子
３６  ブレーカボックス
３６ｓ  スイッチ
３７  フェイスプレート
３７ｆ  上面
３８  支持ブラケット
１００，１０１  配線
Ｓｈ  配線挿通空間
Ｘ  下部構造体
Ｙ  上部構造体
【図１】
2015047571.tif 000003
【図２】
2015047571.tif 000004
【図３】
2015047571.tif 000005
【図４】
2015047571.tif 000006
【図５】
2015047571.tif 000007
【図６】
2015047571.tif 000008
【図７】
2015047571.tif 000009
【図８】
2015047571.tif 000010